(57)【要約】      （修正有）【課題】天井が高すぎる場合、または両側の壁が遠すぎて隣接する障害物がない場合にあっても、浄化効果が大幅に低下することがない空気清浄機を提供する。【解決手段】本体シェルは内部が中空で、本体シェルは厚み方向に前面と後面があり、幅方向は左右対称になっており、本体シェルの前側から内側に通じる空気入口１０１、第１の空気出口が左側面に開かれ、第２の空気出口１０３が右側に開かれて、フィルターメッシュアセンブリ２０は、空気入口に配置され、フィルタープレート本体３０は本体シェルの内側に配置されていて、空気駆動装置４０は本体シェルの内側に配置されてあり、フィルタープレート本体よりも背面に近く、外気は空気入口から本体シェルに吸い込まれ、第１、第２空気出口から吹き出される。【選択図】図２
0003232038.tif 000002
【実用新案登録請求の範囲】
【請求項１】
本体シェルは内部が中空で、本体シェルは厚み方向に前面と後面があり、幅方向は左右対称になっており、本体シェルの前側から内側に通じる空気入口、第１の排気口が左側面に開かれ、第２の排気口が右側に開かれて、フィルターメッシュアセンブリは、空気入口に配置され、フィルタープレート本体は本体シェルの内側に配置されていて、空気駆動装置は本体シェルの内側に配置されてあり、フィルタープレート本体よりも背面に近く、外気は空気入口から本体シェルに吸い込まれ、第１、第２空気出口から吹き出されることを特徴とする空気清浄機。
【請求項２】
複数の第１プレートが左側面の本体シェルの長さ方向に沿って延在し、第１の空気出口が複数の第１のプレートの間に間隔を置いて形成されていることを特徴とする請求項１に記載の空気清浄機。
【請求項３】
第１のプレート本体は第１の傾斜板であり、第１の傾斜板は互いに反対側の第１の端部および第２の端部を有し、第１の端部は本体シェルに位置し、第２の端部は本体シェルから外側へ延びる位置にあり、２番目の端は最初の端よりも前面に近いことを特徴とする請求項２に記載の空気清浄機。
【請求項４】
複数の第２プレートが右側面の本体シェルの長さ方向に沿って延在し、第２の空気出口が複数の第２のプレートの間に間隔を置いて形成されていることを特徴とする請求項１に記載の空気清浄機。
【請求項５】
第２のプレート本体は第２の傾斜板であり、第２の傾斜板は、互いに反対側の第３の端部および第４の端部を有する。第３の端部は本体シェルに位置し、第４の端部は本体シェルから外側へ延びる。 4番目の端は3番目の端よりも前面に近いことを特徴とする請求項４に記載の空気清浄機。
【請求項６】
請求項１に記載の空気清浄機の特徴は、本体シェルには、フロントシェルとリアシェルが接合されており、空気入口はフロントシェルで開いています。1番目の空気出口と2番目の空気出口はそれぞれリアシェルの反対側で開いる、空気駆動装置は後部ハウジングに配置されていることを特徴とする空気清浄機。
【請求項７】
空気駆動装置は、複数のモーターと複数のファンを備え、複数のモーターと複数のファンがすべて後部ハウジングに配置され、ファンとモーターの出力端が連結されていて、モーターがファンを駆動して回転させ、空気入口から外気を吸引し、本体シェル内の空気は、第１空気出口と第２空気出口から吹き出されることを特徴とする請求項１又は６に記載の空気清浄機。
【請求項８】
請求項7に記載の空気清浄機の特徴は、リアケーシングは一体成形されており、リアケーシングのフロントケーシングに面する側には複数の取付溝が設けられており、モーターとファンは取付溝と１対１で配置されている空気清浄機。
【請求項９】
空気清浄機には、空気駆動装置が電気的に接続された本体シェルに配置され、本体シェルの上部が内側に凹んで受け部を形成し、受け部にリモコンが取り外し可能に配置され、リモコンは、メインコントロールボードとワイヤレス信号接続されていることを特徴とする請求項１に記載の空気清浄機。
【請求項１０】
空気清浄機はさらに壁掛け部材を含み、壁掛け部材は背面に配置され、空気清浄機は壁掛け部材によって壁に取り付けられることを特徴とする請求項１〜９のいずれかに記載の空気清浄機。
【請求項１１】
本体上面の操作ボタンをタッチパネルとして全面平坦化したことを特徴とする請求項１〜１０のいずれかに記載の空気清浄機。
【考案の詳細な説明】
【技術分野】
【０００１】
本考案の新型機能は空気浄化の技術分野になり、特に空気浄化装置に関する。
【背景技術】
【０００２】
現在、市場には主に2種類の空気清浄機があります。1つは背面空気入口、側面空気出口、または上部空気出口で、もう1つは両側の空気入口、両側の空気出口、または上部の空気出口です。
【０００３】
空気清浄機の主な動作原理は、壁、天井、家具などの障害物に空気を吹き付けて空気対流を発生させて空気を攪拌し、攪拌した空気を繰り返しろ過して浄化効果を実現することです。 
【０００４】
ただし、この２種類の浄化装置には欠点があります。天井が高すぎる場合、または両側の壁が遠すぎて隣接する障害物がない場合、空気が対流に対抗できず、浄化効果が大幅に低下します。
【０００５】
その為、既存の空気清浄機の使用における大きな制限の問題を解決し、環境に影響されずに浄化効果を確保できる空気清浄機が切望されていました。
【０００６】
一方で、安定化二酸化塩素溶液から二酸化塩素を発生させ、これと空気を接触させて、空気に含まれる煙、臭い、細菌などを浄化する環境浄化器（特許文献１）が知られているが、この先行技術は、二酸化塩素溶液を用いるものであり、かつ正面空気入口及び正面空気出口であるため、本考案とは、空気の清浄機構や構造に相違がし、移動も容易ではない。
【先行技術文献】
【特許文献】
【０００７】
【特許文献１】特開平３−２２８７７１号公報
【考案の概要】
【考案が解決しようとする課題】
【０００８】
本考案は、既存の空気清浄機の使用における大きな制限の問題である、天井が高すぎる場合、または両側の壁が遠すぎて隣接する障害物がない場合にあっては、空気が対流に対抗できず、浄化効果が大幅に低下するという問題点を解決することにある。
【課題を解決するための手段】
【０００９】
本考案は、環境に影響されずに浄化効果を確保できるフロントインレット直接吸引方式を空気清浄機に導入することにより達成することができるものである。
【００１０】
本考案の第１の特徴点は、本体シェルは内部が中空で、本体シェルは厚み方向に前面と後面があり、幅方向は左右対称になっており、本体シェルの前側から内側に通じる空気入口、第１の排気口が左側面に開かれ、第２の排気口が右側に開かれており、フィルターメッシュアセンブリは、空気入口に配置され、フィルタープレート本体は本体シェルの内側に配置されていて、空気駆動装置は本体シェルの内側に配置されてあり、フィルタープレート本体よりも背面に近く、外気は空気入口から本体シェルに吸い込まれ、第1、第2空気出口から吹き出されることを特徴とする空気清浄機により達成することができるものである。
【００１１】
本考案の第２の特徴点は、複数の第１プレートが左側面の本体シェルの長さ方向に沿って延在し、第１の空気出口が複数の第１のプレートの間に間隔を置いて形成されていることを特徴とする空気清浄機により達成することができるものである。
本考案の第３の特徴点は、第１のプレート本体は第１の傾斜板であり、第１の傾斜板は互いに反対側の第１の端部および第２の端部を有し、第１の端部は本体シェルに位置し、第２の端部は本体シェルから外側へ延びる位置にあり、２番目の端は最初の端よりも前面に近いことを特徴とする空気清浄機により達成することができるものである。
【００１２】
本考案の第４の特徴点は、複数の第２プレートが右側面の本体シェルの長さ方向に沿って延在し、第２の空気出口が複数の第２のプレートの間に間隔を置いて形成されていることを特徴とする空気清浄機により達成することができるものである。
本考案の第５の特徴点は、第２のプレート本体は第２の傾斜板であり、第２の傾斜板は、互いに反対側の第３の端部および第４の端部を有し、第３の端部は本体シェルに位置し、第４の端部は本体シェルから外側へ延びる位置にあり、４番目の端は３番目の端よりも前面に近いことを特徴とする空気清浄機により達成することができるものである。
【００１３】
本考案の第６の特徴点は、本体シェルには、フロントシェルとリアシェルが接合されており、空気入口はフロントシェルで開いており、1番目の空気出口と２番目の空気出口はそれぞれリアシェルの反対側で開いて、空気駆動装置は後部ハウジングに配置されていることを特徴とする空気清浄機により達成することができるものである。
本考案の第７の特徴点は、空気駆動装置は、複数のモーターと複数のファンを備え、複数のモーターと複数のファンがすべて後部ハウジングに配置され、ファンとモーターの出力端が連結されていて、モーターがファンを駆動して回転させ、空気入口から外気を吸引し、本体シェル内の空気は、第１空気出口と第２空気出口から吹き出されることを特徴とする空気清浄機により達成することができるものである。
【００１４】
本考案の第８の特徴点は、リアケーシングは一体成形されており、リアケーシングのフロントケーシングに面する側には複数の取付溝が設けられており、モーターとファンは取付溝と１対１で配置されていることを特徴とする空気清浄機により達成することができるものである。
本考案の第９の特徴点は、空気清浄機には、空気駆動装置が電気的に接続された本体シェルに配置され、本体シェルの上部が内側に凹んで受け部を形成し、受け部にリモコンが取り外し可能に配置され、リモートコントロールはメインコントロールボードとワイヤレス信号接続されていることを特徴とする空気清浄機により達成することができるものである。
【００１５】
本考案の第１０の特徴点は、空気清浄機はさらに壁掛け部材を含み、壁掛け部材は背面に配置され、空気清浄機は壁掛け部材によって壁に取り付けられることを特徴とする空気清浄機により達成することができるものである。
本考案の第１１の特徴点は、本体上面の操作ボタンをタッチパネルとした全面平坦化により、本体とボタン部の隙間に埃や雑菌が入ることがなく、また清掃も容易で衛生的に使用することができるものである。
【考案の効果】
【００１６】
本考案の空気清浄機は、フロントインレット直接吸引方式を空気清浄機に取り入れることにより、既存の空気清浄機の使用における大きな制限の問題である、天井が高すぎる場合、または両側の壁が遠すぎて隣接する障害物がない場合にあっても、環境に影響されずに浄化効果を確保できるものである。
【図面の簡単な説明】
【００１７】
【図１】新型空気清浄機の実施形態の構造概略図である。
【図２】図1に示した空気清浄機の分解構造の概略図である。
【図３】図１に示される空気清浄機における後部ハウジングの実施形態の概略構造図である。
【考案を実施するための形態】
【００１８】
上記の目的、機能、および利点をより明確かつ理解しやすくするために、本考案の空気清浄機の具体的な実装について、添付の図面と併せて明確かつ完全に説明します。 明らかに、以下に説明する特定の詳細は、実施形態の一部にすぎず、本考案の空気清浄機は、ここに記載するものとは異なる他の多くの実施形態にも実装することができる。 実施形態に基づいて、創造的な作業なしに当技術分野の通常の技術者によって得られた他のすべての実施形態は、本考案の空気清浄機の保護範囲内にある。
【００１９】
要素が別の要素に「固定されている」と呼ばれる場合、その要素は他の要素に直接存在する場合もあれば、中央の要素が存在する場合もあることに注意してください。 要素が別の要素に「接続されている」と見なされる場合、その要素は他の要素に直接接続されているか、または中間要素が同時に存在している可能性があります。 本明細書で使用される「垂直」、「水平」、「左」、「右」という用語および同様の表現は、例示のみを目的としており、唯一の実施を意味するものではない。
【００２０】
別段の定義がない限り、本明細書で使用されるすべての技術的および科学的用語は、本発明の技術分野の当業者によって一般に理解されるのと同じ意味を有する。 本明細書の本実用新案の説明で使用される用語は、特定の実施形態を説明することのみを目的としており、本実用新案を限定することを意図するものではない。
【００２１】
一実施形態では、図１および２を参照されたい。空気清浄機は、本体ケース１０、フィルターメッシュアセンブリ２０、フィルタープレート本体３０および空気駆動装置４０を含む。 本体ケース１０は内部が中空であり、本体ケース１０は厚さ方向に前後が反対であり、本体ケース１０は幅方向に左右が反対である。 連絡空気入口１０１において、本体ケース１０の内部に連絡する第１の空気出口１０２が左側に開かれ、本体ケース１０の内部に連絡する第２の空気出口１０３が右側に開かれる。 フィルターメッシュアセンブリ２０は、空気入口１０１上に配置されている。 フィルタープレート本体３０は、本体シェル１０内に配置されている。 空気駆動装置４０は本体ケーシング１０内に配置され、空気駆動装置４０は濾板本体３０の裏側に近い。空気駆動装置４０は、空気入口１０１を通して外気を本体ケーシング１０に引き込み、本体ケースを取り外すことができる。 １０の空気は、第１の空気出口１０２および第２の空気出口１０３から吹き出される。
【００２２】
本空気清浄機は、空気の対流・ヘッジ機能を保持するだけでなく、空気入口１０１を完全に正面に向けて両側から空気を吹き込むことにより、空気が対流・ヘッジできない場合の吸引・フィルター機能を実現する。 すなわち、前部空気入口１０１は、前部から空気を吸い込み、次にそれを第１の空気出口１０２および第２の空気出口１０３から吹き出すことができ、次いで空気入口１０１は吹き込まれた空気をさらに吸い戻して空気循環を形成することができる。 空気浄化効果が向上します。
【００２３】
一実施形態では、複数の第１のプレートが左側面の本体ケース１０の長さ方向に沿って延在し、第１の空気出口１０２が複数の第１のプレートの間に間隔を置いて形成される。 具体的には、第１のプレート本体は第１の傾斜板であり、第１の傾斜板は互いに反対側の第１の端部および第２の端部を有し、第１の端部は本体ケース１０に配置され、第２の端部は本体ケース１０から延びる。 2番目の端は最初の端よりも前面に近いです。
【００２４】
第２の空気出口１０３を形成する方法は、また、第１の空気出口１０２を参照することができることが理解され得る。具体的には、右側面の本体ケース１０の長さ方向に沿って複数の第２のプレートが延在し、第２の空気出口１０３が複数の第２のプレートの間に間隔を置いて形成されている。 第２のプレート本体は第２の傾斜板であり、第２の傾斜板は、互いに反対側の第３の端部および第４の端部を有する。第３の端部は本体シェル１０に位置し、第４の端部は本体ケース１０から延びる。 端は３番目の端よりも前面に近いです。
第１の空気出口１０２および第２の空気出口１０３の構造は、本体ケース１０内の空気を吹き飛ばして本体ケース１０の前側により良く導くことができ、空気をより便利かつ効果的に形成することができる。 
【００２５】
図２を参照すると、別の実施形態では、本体ケース１０は、互いに接合されたフロントハウジング１０４および後部ハウジング１０５を含み、空気入口１０１は、フロントハウジング１０４上で開かれ、第１の空気出口１０２および第２の空気出口１０３は、リアハウジング１０５の２つの反対側でそれぞれ開かれ、空気駆動装置４０は、リアハウジング１０５に設けられている。
【００２６】
さらに、上記実施形態に基づいて、空気駆動装置４０は、複数のモーターおよび複数のファンを含む。複数のモーターおよび複数のファンは、すべてリアハウジング１０５に配置されている。ファンは、モーターの出力端部に連結され、モーターは、駆動される。 ファンの回転は、空気入口１０１を通して外気を引き込み、第１の空気出口１０２および第２の空気出口１０３を通して本体ケース１０内の空気を吹き出す。リアハウジング１０５は一体的に形成され、リアハウジング１０５のフロントハウジングに面する側には複数の取り付け溝が設けられ、モーターおよびファンは取り付け溝と１対１の対応で配置される。
【００２７】
図２および図３に示すように、特定の実施形態では、空気清浄機は、主制御盤５０および遠隔制御装置６０をさらに含む。主制御板５０は、本体ケース１０上に配置され、モーターに電気的に接続される。 内側に凹んで受信部分を形成し、リモートコントローラ６０は受信部分に取り外し可能に配置され、リモートコントローラ６０は無線信号によって主制御盤５０に接続される。 収納部の内底にバネを設け、収納部にリモートコントローラ６０を挿入し、バネの弾性力によりリモートコントローラ６０を収納部から押し出すことができる。
【００２８】
なお、主制御盤５０は、各モーターの始動電流を制御し、各モーターの始動時間をずらして、複数のモーターを同時に始動させるために大電流が必要であるという問題を解決することができる。 もちろん、各モーターをグループで制御して、複数のモーターのグループスタートを実現することもできます。
新型空気清浄機は、本体シェル１０の裏側に空気入口１０１を持たないので、壁掛け部材９０を本体シェル１０の裏側に設けることができ、本発明の空気清浄機を直立に置くか、壁に完全に取り付けることができる。 本実用新案の空気清浄機は、従来の浄化産業の設計コンセプトとは対照的に、効率的な効果を発揮するフロントエアインテークに変更されています。
【００２９】
一実施形態では、本考案の空気清浄機は、電源コードをさらに含む。電源コードは、主制御盤５０に電気的に接続され、電源コードは、主電源を安全な電圧に変換するために外部電源装置に電気的に接続することができる。 さらに、後部ハウジング１０５の底部にベース１０６がさらに設けられ、ベース１０６上に電源コード収納スロット１０７が開いており、電源コード収納スロット１０７に電源コードを収納することができる。
【００３０】
さらに、バックシェル１０５はまた、Ｃｌｏ２フィルター９５で覆うことができる。 後部シェル１０５はまた、ＵＳＢインターフェース８０を備えており、ＵＳＢインターフェース８０は、メイン制御ボード５０に電気的に接続され、そしてＵＳＢインターフェース８０は、電子デバイスに接続され得る。 後部ハウジング１０５の上部にも加湿器設置溝が設けられており、加湿器７０は加湿器設置溝に設置することができ、主制御盤５０に電気的に接続されている。
一実施形態では、本考案の空気清浄機は、空気清浄機はさらに壁掛け部材を含み、壁掛け部材は背面に配置され、空気清浄機は壁掛け部材によって壁に取り付けることにより、床上設置は勿論のこと、壁等の任意の位置に設置できるので、非常に便利なものである。また、本考案の空気清浄機は、本体上面の操作ボタンをタッチパネルとした全面平坦化により、本体とボタン部の隙間に埃や雑菌が入ることがなく、また清掃も容易で衛生的に使用することができるものである。
【００３１】
上記の実施形態の技術的特徴は任意に組み合わせることができる。説明を簡潔にするために、上記の実施形態における様々な技術的特徴のすべての可能な組み合わせは記載されていない。しかし、これらの技術的特徴の組み合わせに矛盾がない限り、 すべてがこの仕様の範囲と見なされるべきです。上記の実施形態は、本実用新案のいくつかの実装状態を表すだけであり、説明は比較的具体的かつ詳細であるが、本実用新案の範囲への限定として理解されるべきではない。 実用モデルの概念から逸脱することなく、当技術分野の通常の技術者にとって、いくつかの修正、交換、および改善を行うことができ、これらは、実用モデルの保護の範囲によってカバーされるべきであることに留意されたい。 したがって、本実用新案の保護範囲はクレームの対象となる必要があります。
【産業上の利用可能性】
【００３２】
本考案の空気清浄機は、二酸化塩素の強力な殺菌、除菌、消臭、忌避などの効力があるために、機内、車内、職場、演劇場、学校活動などに参加する際に、インフルエンザ、気管支炎、風邪、伝染病、花粉の予防効果が期待され、国内外の通勤、行楽、旅行、集会などの観光業、興行に重宝される。
また、飲食、カラオケ、厨房などにおける、客の消毒、衛生を保つ為に、その場所に置くだけで有益であり、調理人の衛生を保つことにも期待され、サービス業、食品業の分野でも有益である。
医療現場においても、看護、治療における病気の伝染や、予防にも期待されるので、特に、水害や天災の衛生事情が良くない地域において、この空気清浄機の設置が有益である。それ以外にも、養殖、養豚、魚、うなぎ、すっぽん、鯉などの人工飼育現場という水産、動植物の伝染、その養殖に携わる業者は、病気、菌の伝染、増殖を防ぐ為に、この空気清浄機の設置をすることが期待される。
また、トマト、きゅうり、茄子、梨、ぶどうなどの比較的菌に感染しやすい農作物を栽培する場合に、ビニルハウスでの手入れ作業の際には、空気清浄機を設置して、菌の繁殖や、衛生を保つことができるので、農水畜林産業上の分野で使用することも期待される。
【符号の説明】
【００３３】
１０.  本体シェル               １０１．空気入口（不織布）
１０２．第1空気出口（排気口）  １０３．第2空気出口（排気口）
１０４．フロントハウジング      １０５．リアハウジング
１０６．ベース                  １０７．電源コード収納スロット
２０．  フィルターコンポーネント
３０．  フィルタープレート本体（ＨＥＰＡフィルター)
４０．  エアドライブデバイス
５０．  メインコントロールボード
６０．  リモートコントロール
７０．  加湿器                  ８０．  ＵＳＢインターフェース
９０．  壁掛け部品              ９５．  Ｃｌｏ２フィルター
【図１】
0003232038.tif 000003
【図２】
0003232038.tif 000004
【図３】
0003232038.tif 000005
【手続補正書】
【提出日】令和3年3月2日(2021.3.2)
【手続補正１】
【補正対象書類名】実用新案登録請求の範囲
【補正対象項目名】全文
【補正方法】変更
【補正の内容】
【実用新案登録請求の範囲】
【請求項１】
本体シェルは内部が中空で、本体シェルは厚み方向に前面と後面があり、幅方向は左右対称になっており、本体シェルの前側から内側に通じる空気入口、第１の空気出口が左側面に開かれ、第２の空気出口が右側に開かれて、フィルターメッシュアセンブリは、空気入口に配置され、フィルタープレート本体は本体シェルの内側に配置されていて、空気駆動装置は本体シェルの内側に配置されてあり、フィルタープレート本体よりも背面に近く、外気は空気入口から本体シェルに吸い込まれ、第１、第２空気出口から吹き出されることを特徴とする空気清浄機。
【請求項２】
複数の第１のプレートが左側面の本体シェルの長さ方向に沿って延在し、第１の空気出口が複数の第１のプレートの間に間隔を置いて形成されていることを特徴とする請求項１に記載の空気清浄機。
【請求項３】
第１のプレート本体は第１の傾斜板であり、第１の傾斜板は互いに反対側の第１の端部および第２の端部を有し、第１の端部は本体シェルに位置し、第２の端部は本体シェルから外側へ延びる位置にあり、第２の端部は第１の端部よりも前面に近いことを特徴とする請求項２に記載の空気清浄機。
【請求項４】
複数の第２のプレートが右側面の本体シェルの長さ方向に沿って延在し、第２の空気出口が複数の第２のプレートの間に間隔を置いて形成されていることを特徴とする請求項１に記載の空気清浄機。
【請求項５】
第２のプレート本体は第２の傾斜板であり、第２の傾斜板は、互いに反対側の第３の端部および第４の端部を有し、第３の端部は本体シェルに位置し、第４の端部は本体シェルから外側へ延びる位置にあり、第４の端部は第３の端部よりも前面に近いことを特徴とする請求項４に記載の空気清浄機。
【請求項６】
請求項１に記載の空気清浄機の特徴は、本体シェルには、フロントハウジングとリアハウジングが接合されており、空気入口はフロントハウジングで開いており、第１の空気出口と第２の空気出口はそれぞれリアハウジングの反対側で開いており、空気駆動装置はリアハウジングに配置されていることを特徴とする空気清浄機。
【請求項７】
空気駆動装置は、複数のモーターと複数のファンを備え、複数のモーターと複数のファンがすべてリアハウジングに配置され、ファンとモーターの出力端が連結されていて、モーターがファンを駆動して回転させ、空気入口から外気を吸引し、本体シェル内の空気は、第１の空気出口と第２の空気出口から吹き出されることを特徴とする請求項１又は６に記載の空気清浄機。
【請求項８】
請求項7に記載の空気清浄機の特徴は、リアハウジングは一体成形されており、リアハウジングのフロントハウジングに面する側には複数の取付溝が設けられており、モーターとファンは取付溝と１対１で配置されている空気清浄機。
【請求項９】
空気清浄機には、空気駆動装置が電気的に接続された本体シェルに配置され、本体シェルの上部が内側に凹んで受け部を形成し、受け部にリモコンが取り外し可能に配置され、リモコンは、メインコントロールボードとワイヤレス信号接続されていることを特徴とする請求項１に記載の空気清浄機。
【請求項１０】
空気清浄機はさらに壁掛け部材を含み、壁掛け部材は背面に配置され、空気清浄機は壁掛け部材によって壁に取り付けられることを特徴とする請求項１〜９のいずれかに記載の空気清浄機。
【請求項１１】
本体上面の操作ボタンをタッチパネルとして全面平坦化したことを特徴とする請求項１〜１０のいずれかに記載の空気清浄機。
【手続補正２】
【補正対象書類名】明細書
【補正対象項目名】００１０
【補正方法】変更
【補正の内容】
【００１０】
本考案の第１の特徴点は、本体シェルは内部が中空で、本体シェルは厚み方向に前面と後面があり、幅方向は左右対称になっており、本体シェルの前側から内側に通じる空気入口、第１の空気出口（排気口）が左側面に開かれ、第２の空気出口（排気口）が右側に開かれており、フィルターメッシュアセンブリは、空気入口に配置され、フィルタープレート本体は本体シェルの内側に配置されていて、空気駆動装置は本体シェルの内側に配置されてあり、フィルタープレート本体よりも背面に近く、外気は空気入口から本体シェルに吸い込まれ、第1、第2の空気出口から吹き出されることを特徴とする空気清浄機により達成することができるものである。
【手続補正３】
【補正対象書類名】明細書
【補正対象項目名】００１１
【補正方法】変更
【補正の内容】
【００１１】
本考案の第２の特徴点は、複数の第１のプレートが左側面の本体シェルの長さ方向に沿って延在し、第１の空気出口が複数の第１のプレートの間に間隔を置いて形成されていることを特徴とする空気清浄機により達成することができるものである。
本考案の第３の特徴点は、第１のプレート本体は第１の傾斜板であり、第１の傾斜板は互いに反対側の第１の端部および第２の端部を有し、第１の端部は本体シェルに位置し、第２の端部は本体シェルから外側へ延びる位置にあり、第２の端部は第１の端部よりも前面に近いことを特徴とする空気清浄機により達成することができるものである。
【手続補正４】
【補正対象書類名】明細書
【補正対象項目名】００１２
【補正方法】変更
【補正の内容】
【００１２】
本考案の第４の特徴点は、複数の第２のプレートが右側面の本体シェルの長さ方向に沿って延在し、第２の空気出口が複数の第２のプレートの間に間隔を置いて形成されていることを特徴とする空気清浄機により達成することができるものである。
本考案の第５の特徴点は、第２のプレート本体は第２の傾斜板であり、第２の傾斜板は、互いに反対側の第３の端部および第４の端部を有し、第３の端部は本体シェルに位置し、第４の端部は本体シェルから外側へ延びる位置にあり、第４の端部は第３の端部よりも前面に近いことを特徴とする空気清浄機により達成することができるものである。
【手続補正５】
【補正対象書類名】明細書
【補正対象項目名】００２３
【補正方法】変更
【補正の内容】
【００２３】
一実施形態では、複数の第１のプレートが左側面の本体ケース１０の長さ方向に沿って延在し、第１の空気出口１０２が複数の第１のプレートの間に間隔を置いて形成される。 具体的には、第１のプレート本体は第１の傾斜板であり、第１の傾斜板は互いに反対側の第１の端部および第２の端部を有し、第１の端部は本体ケース１０に配置され、第２の端部は本体ケース１０から外側へ延びる位置にあり、第２の端部は第１の端部よりも前面に近いです。
【手続補正６】
【補正対象書類名】明細書
【補正対象項目名】００２４
【補正方法】変更
【補正の内容】
【００２４】
第２の空気出口１０３を形成する方法は、また、第１の空気出口１０２を参照することができることが理解され得る。具体的には、右側面の本体ケース１０の長さ方向に沿って複数の第２のプレートが延在し、第２の空気出口１０３が複数の第２のプレートの間に間隔を置いて形成されている。 第２のプレート本体は第２の傾斜板であり、第２の傾斜板は、互いに反対側の第３の端部および第４の端部を有する。第３の端部は本体シェル１０に位置し、第４の端部は本体ケース１０から外側へ延びる位置にあり、第４の端部は第３の端部よりも前面に近いです。
第１の空気出口１０２および第２の空気出口１０３の構造は、本体ケース１０内の空気を吹き飛ばして本体ケース１０の前側により良く導くことができ、空気の流れをより便利かつ効果的に形成することができる。 
【手続補正７】
【補正対象書類名】明細書
【補正対象項目名】００３０
【補正方法】変更
【補正の内容】
【００３０】
さらに、リアハウジング１０５はまた、ＣｌＯ２フィルター９５で覆うことができる。 リアハウジング１０５はまた、ＵＳＢインターフェース８０を備えており、ＵＳＢインターフェース８０は、メイン制御ボード５０に電気的に接続され、そしてＵＳＢインターフェース８０は、電子デバイスに接続され得る。 リアハウジング１０５の上部にも加湿器設置溝が設けられており、加湿器７０は加湿器設置溝に設置することができ、主制御盤５０に電気的に接続されている。
一実施形態では、本考案の空気清浄機は、さらに壁掛け部材を含み、壁掛け部材は背面に配置され、空気清浄機は壁掛け部材によって壁に取り付けることにより、床上設置は勿論のこと、壁等の任意の位置に設置できるので、非常に便利なものである。また、本考案の空気清浄機は、本体上面の操作ボタンをタッチパネルとした全面平坦化により、本体とボタン部の隙間に埃や雑菌が入ることがなく、また清掃も容易で衛生的に使用することができるものである。
【手続補正８】
【補正対象書類名】明細書
【補正対象項目名】００３３
【補正方法】変更
【補正の内容】
【００３３】
１０.  本体シェル               １０１．空気入口（不織布）
１０２．第1空気出口（排気口）  １０３．第2空気出口（排気口）
１０４．フロントハウジング      １０５．リアハウジング
１０６．ベース                  １０７．電源コード収納スロット
２０．  フィルターコンポーネント
３０．  フィルタープレート本体（ＨＥＰＡフィルター)
４０．  エアドライブデバイス
５０．  メインコントロールボード
６０．  リモートコントロール
７０．  加湿器                  ８０．  ＵＳＢインターフェース
９０．  壁掛け部品              ９５．  ＣｌＯ２フィルター